(57)【要約】【課題】多層光ディスクに対応する光ディスク装置において、再生対象となる記録層とは別の記録層からの反射光である迷光の影響を除去できる光ディスク装置を提供する。【解決手段】光ディスク装置１は、異なる波長の光を発光する２つの発光点が近接して設けられる２波長レーザを有している。２波長レーザから出射されて対物レンズで記録層に集光された後に記録層で反射された光である反射光は光検出器３３で受光される。光検出器３３は、２波長レーザで発光される各波長の光の前記反射光それぞれを別々の受光領域５１、５２で受光する。光ディスク装置１には更に、２層光ディスクを再生する際にサーボ信号を得るために使用する受光領域５２で検出される信号と、サーボ信号を得るためには使用されない受光領域５１で検出される信号と、を用いて所定の演算を行う演算手段が設けられている。【選択図】図３
2008146690.tif 000002
【特許請求の範囲】
【請求項１】
ＢＤ又はＨＤ−ＤＶＤ／ＤＶＤ／ＣＤを互換し、少なくともＢＤ又はＨＤ−ＤＶＤについては２つの記録層を有する２層光ディスクの再生を行える光ディスク装置において、
前記ＢＤ又はＨＤ−ＤＶＤに対応する波長のレーザ光を発光する単一波長レーザと、
前記ＤＶＤと前記ＣＤとに対応する２つの波長のレーザ光を発光できるように２つの発光点が設けられる２波長レーザと、
前記単一波長レーザ及び前記２波長レーザで発光された光をメインビームとサブビームとに分離する回折格子と、
前記単一波長レーザと前記２波長レーザとで発光された光を光ディスクの記録層に集光する集光レンズと、
前記集光レンズで集光された後に前記記録層で反射された光である反射光を受光する光検出手段と、
を備え、
前記光検出手段には、前記ＢＤ又はＨＤ−ＤＶＤ或いは前記ＤＶＤの前記記録層で反射された前記反射光を受光するＢＤ又はＨＤ−ＤＶＤ／ＤＶＤ受光領域と、前記ＣＤの前記記録層で反射された前記反射光を受光するＣＤ受光領域と、が形成されており、
前記ＢＤ又はＨＤ−ＤＶＤ／ＤＶＤ受光領域及び前記ＣＤ受光領域は、いずれも前記メインビームを受光するメインビーム検出セルと前記サブビームを受光するサブビーム検出セルとから成る検出セル群となっており、
前記２層光ディスクを再生する際に、前記ＢＤ又はＨＤ−ＤＶＤ／ＤＶＤ受光領域の前記サブビーム検出セルで検出される信号と、前記ＣＤ受光領域の前記サブビーム検出セルで検出される信号と、を用いて所定の演算処理を行い、前記ＢＤ又はＨＤ−ＤＶＤ／ＤＶＤ受光領域の前記サブビーム検出セルで検出される信号の補正を行う演算処理手段を設けたことを特徴とする光ディスク装置。
【請求項２】
複数種類の光ディスクを互換し、前記複数種類の光ディスクのうち少なくとも１種類については複数の記録層を有する光ディスクの再生を行える光ディスク装置において、
異なる波長の光を発光する複数の発光点が近接して設けられる光源ユニットと、
前記光源ユニットで発光された光を前記光ディスクの記録層に集光する集光レンズと、
前記集光レンズで集光された後に前記記録層で反射された光である反射光を受光する光検出手段と、
を備え、
前記光検出手段には、前記光源ユニットで発光される各波長の光の前記反射光それぞれを、別々の位置で受光するように複数の受光領域が形成されており、
前記複数の受光領域のうち、前記複数の記録層を有する光ディスクの再生を行う際にサーボ信号を得るために使用する受光領域を第１受光領域、前記サーボ信号を得るために使用しない１つの受光領域を第２受光領域とした場合に、
前記複数の記録層を有する光ディスクの再生を行う際に、前記第１受光領域で検出される信号と前記第２受光領域で検出される信号とを用いて所定の演算処理を行い、前記第１受光領域で検出される信号の補正を行う演算処理手段を設けたことを特徴とする光ディスク装置。
【請求項３】
前記光学ユニット及び前記光学ユニットとは別に配置されることがある別の光源で発光された光は、メインビームとサブビームとに分けられて前記集光レンズに入射し、
前記複数の受光領域のそれぞれは、前記メインビームと前記サブビームとを分離して受光できるように複数の検出セル群から成っており、
前記演算処理手段による前記所定の演算処理は、前記サブビームを受光する検出セルで検出される信号のみを用いて行われることを特徴とする請求項２に記載の光ディスク装置。
【請求項４】
前記光源ユニットは２波長レーザで、前記光検手段には前記受光領域が２つ設けられることを特徴とする請求項２又は３に記載の光ディスク装置。
【請求項５】
前記光源ユニットとは異なる波長の光を発光する別の光源が備えられ、
前記集光レンズは前記別の光源で発光される光を前記光ディスクの記録層に集光させ、  前記光検出手段は、前記別の光源で発光され前記集光レンズで集光されて前記記録層で反射された反射光を、前記受光領域の２つのうちいずれか一方で受光するように設けられ、
少なくとも前記別の光源で発光される光を用いて、前記複数の記録層を有する光ディスクの再生が行われることを特徴とする請求項４に記載の光ディスク装置。
【発明の詳細な説明】
【技術分野】
【０００１】
本発明は、少なくとも光ディスクの再生を行える光ディスク装置に関し、特に複数の記録層を有する光ディスクの再生を行う場合に発生する迷光の影響を除去できる光ディスク装置に関する。
【背景技術】
【０００２】
コンパクトディスク（以下、ＣＤという。）やデジタル多用途ディスク（以下、ＤＶＤという。）といった光ディスクが普及している。また、最近では、ＣＤやＤＶＤに比べて記録密度を高めたＨＤ−ＤＶＤやブルーレイディスク（以下、ＢＤという。）等の高密度記録可能な光ディスクも実用化されている。そして、これらの光ディスクにおいて、更に記録容量を拡大するために、厚み方向に記録層を複数配置する多層光ディスクも開発されている。
【０００３】
ところで、多層光ディスクを再生する場合においては、再生しようとする記録層に隣接する記録層からの反射光が迷光として光検出器に漏れ込む現象が知られている。すなわち、２層光ディスクの場合を例にとって説明すると、１層目の記録層に記録されている情報の再生時には、１層目の記録層からの反射光だけでなく２層目の記録層からの反射光が迷光として光検出器に入射する。一方、２層目の記録層に記録されている情報の再生時には、２層目の記録層からの反射光だけでなく１層目の記録層からの反射光が迷光として光検出器に入射する。
【０００４】
この場合、光検出器で検出される信号は、本来得られるべき光情報以外の光情報を含むために、本来の値からズレを生じる。このため、サーボ動作が不適切となる等の問題が生じる。このような迷光の影響を除去する技術については従来研究されており、例えば特許文献１や特許文献２に紹介されている。
【０００５】
特許文献１や特許文献２においては、再生（又は再生記録）の対象となる記録層からの反射光を受光する受光部以外に、再生や記録の対象となる記録層に隣接する記録層（又は再生や記録の対象となる記録層とは別の記録層）からの反射光（迷光）を受光する受光部を設けている。そして、迷光を受光するために専用に設けられた受光部で検出された検出信号を演算処理に利用して、迷光の影響を除去するようにしている。
【特許文献１】特開２００５−３５３２５２号公報
【特許文献２】特開２００４−３０３４０３号公報
【発明の開示】
【発明が解決しようとする課題】
【０００６】
しかしながら、特許文献１や特許文献２に紹介される構成の場合、迷光を検出するために専用の検出手段を設ける必要がある。このため、多層光ディスクを再生又は記録再生する光ディスク装置の製造コストが上昇するといった問題がある。
【０００７】
この点、迷光を検出する専用の検出手段を設ける以外に、例えば、光源から出射された光を光ディスクの記録層に集光する対物レンズ直近に回折素子を配置して、光ディスクからの迷光を遮光する方式も考えられる。しかし、この場合には、光ディスク装置が備える光学系に光学素子を一つ増やすことになり、部品点数が増え、光学系の調整負担が増大する等の問題が発生する。
【０００８】
以上の点を鑑みて、本発明の目的は、多層光ディスクに対応する光ディスク装置において、再生や記録の対象となる記録層とは別の記録層からの反射光である迷光の影響を、新たに受光部や光学素子を追加することなく除去できる光ディスク装置を提供することである。
【課題を解決するための手段】
【０００９】
上記目的を達成するために本発明は、ＢＤ又はＨＤ−ＤＶＤ／ＤＶＤ／ＣＤを互換し、少なくともＢＤ又はＨＤ−ＤＶＤについては２つの記録層を有する２層光ディスクの再生を行える光ディスク装置において、前記ＢＤ又はＨＤ−ＤＶＤに対応する波長のレーザ光を発光する単一波長レーザと、前記ＤＶＤと前記ＣＤとに対応する２つの波長のレーザ光を発光できるように２つの発光点が設けられる２波長レーザと、前記単一波長レーザ及び前記２波長レーザで発光された光をメインビームとサブビームとに分離する回折格子と、
前記単一波長レーザと前記２波長レーザとで発光された光を光ディスクの記録層に集光する集光レンズと、前記集光レンズで集光された後に前記記録層で反射された光である反射光を受光する光検出手段と、を備え、前記光検出手段には、前記ＢＤ又はＨＤ−ＤＶＤ或いは前記ＤＶＤの前記記録層で反射された前記反射光を受光するＢＤ又はＨＤ−ＤＶＤ／ＤＶＤ受光領域と、前記ＣＤの前記記録層で反射された前記反射光を受光するＣＤ受光領域と、が形成されており、前記ＢＤ又はＨＤ−ＤＶＤ／ＤＶＤ受光領域及び前記ＣＤ受光領域は、いずれも前記メインビームを受光するメインビーム検出セルと前記サブビームを受光するサブビーム検出セルとから成る検出セル群となっており、前記２層光ディスクを再生する際に、前記ＢＤ又はＨＤ−ＤＶＤ／ＤＶＤ受光領域の前記サブビーム検出セルで検出される信号と、前記ＣＤ受光領域の前記サブビーム検出セルで検出される信号と、を用いて所定の演算処理を行い、前記ＢＤ又はＨＤ−ＤＶＤ／ＤＶＤ受光領域の前記サブビーム検出セルで検出される信号の補正を行う演算処理手段を設けたことを特徴としている。
【００１０】
また、上記目的を達成するために本発明は、複数種類の光ディスクを互換し、前記複数種類の光ディスクのうち少なくとも１種類については複数の記録層を有する光ディスクの再生を行える光ディスク装置において、異なる波長の光を発光する複数の発光点が近接して設けられる光源ユニットと、前記光源ユニットで発光された光を前記光ディスクの記録層に集光する集光レンズと、前記集光レンズで集光された後に前記記録層で反射された光である反射光を受光する光検出手段と、を備え、前記光検出手段には、前記光源ユニットで発光される各波長の光の前記反射光それぞれを、別々の位置で受光するように複数の受光領域が形成されており、前記複数の受光領域のうち、前記複数の記録層を有する光ディスクの再生を行う際にサーボ信号を得るために使用する受光領域を第１受光領域、前記サーボ信号を得るために使用しない１つの受光領域を第２受光領域とした場合に、前記複数の記録層を有する光ディスクの再生を行う際に、前記第１受光領域で検出される信号と前記第２受光領域で検出される信号とを用いて所定の演算処理を行い、前記第１受光領域で検出される信号の補正を行う演算処理手段を設けたことを特徴としている。
【００１１】
また、本発明は、上記構成の光ディスク装置において、前記光学ユニット及び前記光学ユニットとは別に配置されることがある別の光源で発光された光は、メインビームとサブビームとに分けられて前記集光レンズに入射し、前記複数の受光領域のそれぞれは、前記メインビームと前記サブビームとを分離して受光できるように複数の検出セル群から成っており、前記演算処理手段による前記所定の演算処理は、前記サブビームを受光する検出セルで検出される信号のみを用いて行われることを特徴としている。
【００１２】
また、本発明は、上記構成の光ディスク装置において、前記光源ユニットは２波長レーザで、前記光検手段には前記受光領域が２つ設けられることを特徴としている。
【００１３】
また、本発明は、上記構成の光ディスク装置において、前記光源ユニットとは異なる波長の光を発光する別の光源が備えられ、前記集光レンズは前記別の光源で発光される光を前記光ディスクの記録層に集光させ、前記光検出手段は、前記別の光源で発光され前記集光レンズで集光されて前記記録層で反射された反射光を、前記受光領域の２つのうちいずれか一方で受光するように設けられ、少なくとも前記別の光源で発光される光を用いて、前記複数の記録層を有する光ディスクの再生が行われることを特徴としている。
【発明の効果】
【００１４】
本発明の第１の構成によれば、ＢＤ又はＨＤ−ＤＶＤ／ＤＶＤ／ＣＤの３種類の光ディスクを互換可能な光ディスク装置で、２層光ディスクを再生する場合に、再生対象となる記録層とは別の記録層からの反射光である迷光の影響によってサーボ信号が乱れ、光ディスク装置のサーボ動作が不適切となることを抑制できる。また、複数の光ディスクに対応するために必須となる受光領域であって、再生時にサーボ信号を得るために使用しない受光領域を使用して迷光の影響を除去する構成であるために、光ディスク装置の構成を簡易なものとでき、安価に製造するが可能となる。
【００１５】
また、本発明の第２の構成によれば、多層光ディスクを再生する場合に、再生対象となる記録層とは別の記録層からの反射光である迷光の影響によってサーボ信号が乱れ、光ディスク装置のサーボ動作が不適切となることを抑制できる。また、複数の光ディスクに対応するために必須となる受光領域であって、再生時にサーボ信号を得るために使用しない受光領域を使用して、迷光の影響を除去する構成であるために、光ディスク装置の構成を簡易なものとでき、更に安価に製造することが可能となる。
【００１６】
また、本発明の第３の構成によれば、上記第２の構成の光ディスク装置において、迷光の影響を特に除去すべき検出セルのみについて迷光の影響を除去するようにしているために、装置構成が複雑とならない。
【００１７】
また、本発明の第４の構成によれば、上記第２又は第３の構成の光ディスク装置において、光源ユニットとして入手し易い２波長レーザを用いる構成であるために、多層光ディスクにおいて発生する迷光の影響を除去できる光ディスク装置を容易に実現できる。
【００１８】
また、本発明の第５の構成によれば、上記第４の構成の光ディスク装置において、例えばＢＤ／ＤＶＤ／ＣＤ等の３種類の光ディスクを互換可能な光ディスク装置で、多層光ディスクにおいて発生する迷光の影響を除去できる光ディスク装置を容易に実現できる。
【発明を実施するための最良の形態】
【００１９】
以下に本発明の内容を詳細に説明するが、ここで示す実施形態は一例であり、本発明はここに示す実施形態に限定されるものではない。
【００２０】
図１は、本実施形態の光ディスク装置１の構成を示すブロック図で、光ディスク装置１は、光ディスク２０の情報の再生、及び光ディスク２０への情報の記録を可能に設けられている。なお、光ディスク装置１は、ＢＤ、ＤＶＤ、及びＣＤの３種類の光ディスクを互換可能となっている。また、光ディスク装置１は、ＢＤについては２層光ディスクの記録再生を行えるようになっている。
【００２１】
２は、スピンドルモータであり、光ディスク２０はスピンドルモータ２の上部に設けられるチャック部（図示せず）に着脱可能に保持される。スピンドルモータ２は、光ディスク２０の情報の記録再生を行う際に光ディスク２０を連続回転する。スピンドルモータ２の回転制御は、スピンドルモータ駆動回路３によって行われる。
【００２２】
４は、光ピックアップであり、光源から出射されたレーザ光を光ディスク２０に照射し、光ディスク２０への情報の書き込みと、光ディスク２０に記録されている情報の読み取りを可能とする。図２は、光ピックアップ４の光学系を示す概略図である。図２に示すように、光ピックアップ４は、第１光源２１と、第２光源２２と、第１回折格子２３と、第２回折格子２４と、ダイクロプリズム２５と、ハーフミラー２６と、フロントモニタ用の受光素子２７と、コリメートレンズ２８と、立ち上げミラー２９と、液晶素子３０と、対物レンズ３１と、シリンドリカルレンズ３２と、光検出器３３と、を備える。なお、光ピックアップを構成する光学系の構成はこれに限らず、もちろん種々の変更が可能である。
【００２３】
第１光源２１は、単一の波長のレーザ光を発光するレーザダイオードで、ＢＤに使用される波長４０５ｎｍ帯のレーザ光を発光する。また、第２光源２２は、２波長のレーザ光を発光する２波長対応のレーザダイオード（２波長レーザ）であって、ＤＶＤに使用する波長６５０ｎｍ帯のレーザ光と、ＣＤに使用する波長７８０ｎｍ帯のレーザ光と、を発光する。
【００２４】
第２光源２２は、異なる波長のレーザ光を発光する２つの発光点が近接（例えば１１０μｍ）して設けられる光源ユニットとなっている。このため、第２光源２２で発光される波長の異なる２つのレーザ光は、光軸がずれた関係となっている。図２中に実線と破線で示す光軸４０ａ、４０ｂは、この光軸がずれた関係を示している。また、第１光源２１で発光されるレーザ光の光軸は、ダイクロプリズム２５で反射されてＤＶＤ用のレーザ光の光軸４０ａと合うように調整されている。
【００２５】
なお、第２光源２２を構成する光源ユニットは、１チップ中に異なる波長のレーザ光を発光する複数の発光点を有するモノリシックレーザとしても良し、異なる波長の複数のレーザチップを集積して複数の発光点を有するように構成されたハイブリッドレーザとしても良い。
【００２６】
光ピックアップ４において、第１光源２１から出射されたレーザ光は第１回折素子２３によって、第２光源２２から出射されたレーザ光は第２回折格子２４によって、それぞれ回折されて、メインビーム（０次光）及び２つのサブビーム（±１次光）の３ビームに分離する。
【００２７】
３ビームに分離されたレーザ光は、ダイクロプリズム２５を透過（ＤＶＤ／ＣＤ用のレーザ光）、又はダイクロプリズム２５で反射（ＢＤ用のレーザ光）される。その後、ハーフミラー２６で反射した一部のレーザ光が光ディスク２０に向かい、ハーフミラー２６を透過した残りのレーザ光がフロントモニタ用の受光素子２７へと向かう。フロントモニタ用の受光素子２７はレーザ光を受光することによってレーザパワーを検出して、レーザ駆動回路５へと情報を送る。レーザ駆動回路５は、送られてきた情報に基づいてレーザパワーが安定するように、光源２１、２２の出力を制御する。
【００２８】
ハーフミラー２６から光ディスク２０に向かったレーザ光は、コリメータレンズ２８で平行光へと変換され、立ち上げミラー２９によって反射され、液晶素子３０を透過する。液晶素子３０は、光ディスク２０の記録層を保護する保護層の厚みの違い等が原因となって発生する球面収差の補正を可能とする素子である。液晶素子３０は、液晶を挟む透明電極（いずれも図示せず）への印加電圧を制御することで球面収差の補正を行う。なお、球面収差の補正は、液晶素子３０に限定されず、エキスパンダレンズを用いる構成とする等、種々の変更が可能である。
【００２９】
液晶素子３０を透過したレーザ光は、対物レンズ３１によって集光されて光ディスク２０の記録層２０ａ（又は２０ｂ）に結像する。なお、対物レンズ３１はアクチュエータ３４によって光軸と平行な方向であるフォーカス方向と、光ディスク２０の半径方向と平行なトラッキング方向とに移動可能とされている。また、図２に示す光ディスク２０は２層ディスクであり、第１層２０ａと第２層２０ｂの２つの記録層を有する。
【００３０】
対物レンズ３１によって記録層２０ａ（又は２０ｂ）に集光されたレーザ光は記録層２０ａ（又は２０ｂ）で反射されて反射光を生じる。反射光は、対物レンズ３１、液晶素子３０、立ち上げミラー２９、コリメータレンズ２８の順に通過し、ハーフミラー２６を透過してシリンドリカルレンズ３２によって非点収差を与えられて光検出器３３に集光する。図３は、本実施形態の光ディスク装置１が備える光検出器３３を検出面３３ａ側から見た概略正面図である。
【００３１】
図３に示すように、光検出器３３には、ＣＤ用のレーザ光が集光するＣＤ用受光領域５１と、ＤＶＤ用のレーザ光とＢＤ用のレーザ光とが集光するＢＤ／ＤＶＤ用受光領域５２と、の２つの受光領域が形成されている。各受光領域５１、５２は、いずれも３つの検出セル（検出セル群）を有している。ＣＤ用受光領域５１は、メインビームを受光するメインビーム用検出セル５１ａと、サブビームを受光するサブビーム用検出セル５１ｂ、５１ｃとから成る。同様に、ＢＤ／ＤＶＤ用受光領域５２は、メインビーム検出セル５２ａとサブビーム用検出セル５２ｂ、５２ｃとから成る。
【００３２】
光検出器３３は、各検出セルで検出された光信号を電気信号に変換する。各検出セルで変換された電気信号の処理については後述する。
【００３３】
図１に戻って、レーザ駆動回路５は、光ディスク装置１内に挿入されている光ディスク２０の種類に合わせて、第１光源２１と第２光源２２の切り換えを行ったり、フロントモニタ用の受光素子２７（図２参照）からの情報に基づいて第１光源２１及び第２光源２２から出射されるレーザ光の出力制御を行ったりする。
【００３４】
信号処理部６は、光検出器３３（図２参照）から電気信号を供給されて、供給された電気信号の処理を行い、ＲＦ信号、フォーカスエラー信号（ＦＥ信号）、及びトラッキングエラー信号（ＴＥ信号）を生成する。
【００３５】
情報検出回路７は、信号処理部６から供給されるＲＦ信号について波形等化等の処理を行い、光ディスク２０に記録されている情報の読み出しを行う。情報検出回路７で読み出された情報はデコーダ８によって復調され、復調された再生信号はインターフェース１１を介してパソコン等の外部機器に出力される。
【００３６】
サーボ回路９は、信号処理部６において生成されたＦＥ信号やＴＥ信号に基づいて、フォーカス駆動信号やトラッキング駆動信号の生成を行う。
【００３７】
アクチュエータ駆動回路１０は、サーボ回路９から供給されるフォーカス駆動信号やトラッキング駆動信号等の信号に基づいて、対物レンズ３１を搭載するアクチュエータ３４（いずれも図２参照）の駆動を制御する。アクチュエータ３４は対物レンズ３１をフォーカス方向及びトラッキング方向に移動してフォーカス制御及びトラッキング制御を行う。      
【００３８】
システム制御部１１は、マイクロコンピュータを備えて光ディスク装置１を構成する各部が実行すべき所要の動作に応じて適宜制御処理を実行する。なお、システム制御部１１には、ＲＯＭ（Read Only Memory）１３及びＲＡＭ（Random Access Memory）１４が備えられている。ＲＯＭ１３には、システム制御部１１が各種処理を行う上で必要となる各種のパラメータや動作プラグラムが記憶される。ＲＡＭ１４は、システム制御部１１によるワーク領域として用いられ、また、各種必要な情報の格納領域とされる。
【００３９】
光ディスク装置１の全体構成の概略は以上のようであるが、光ディスク装置１は２層光光ディスク（本実施形態においては、ＢＤの２層光ディスク）を再生する際に、迷光がサーボ信号に外乱となって作用することを防止できるように構成されている点で特徴を有する。以下、この点について説明する。
【００４０】
図４は、本実施形態の光ディスク装置１で互換する各種の光ディスク２０を再生する場合に、光ディスク２０からの反射光が光検出器３３上に形成する光スポットについて示している。光ディスク２０の記録層が１層である場合（図４のＤＶＤ、ＣＤ、ＢＤ（１層光ディスク）を参照）、光検出器３３上に形成される光スポットは、再生対象となる記録層で反射された反射光が光検出器３３の所定の受光位置に形成する光スポットのみである。
【００４１】
このため、これらの光ディスク２０を再生する場合には、光検出器３３で得られた信号を特に補正することなく周知の方法で処理してサーボ信号を得ることが可能である。ＤＶＤ及びＢＤ（１層光ディスク）については、例えばＦＥ信号を非点収差法で得て、ＴＥ信号を差動プッシュプル法で得ることができる。また、ＣＤについては、例えばＦＥ信号を非点収差法で得て、ＴＥ信号を３ビーム法で得ることができる。以下にこれらＦＥ信号及びＴＥ信号を得るための演算式を示す。なお、演算式中のアルファベットは、各受光領域５１、５２が有する検出セルの各領域で得られる信号を示している。
【００４２】
ＤＶＤ及びＢＤ（１層光ディスク）の場合；
FE = (A + C)-(B + D)
TE = (A + C)-(B + D)-k・((E1 + E2 + G1 + G2)-(F1 + F2 + H1 + H2))
なお、ｋは係数で適宜決定される。
ＣＤの場合；
FE = (a + c)-(b + d)
TE = e - f
【００４３】
一方、記録層が２層である２層光ディスク２０（図４のＢＤ（２層光ディスク）を参照）の場合、再生対象となる記録層（例えば第１層２０ａ（図２参照））とは別の記録層（例えば第２層２０ｂ（図２参照））からの反射光（迷光）も光検出器３３上に光スポット１００を形成する。この迷光によって形成される光スポット１００は、図４に示すように、光検出器３３の広い領域にわたって形成される。
【００４４】
このため、２層光ディスク２０を再生する場合、再生対象となる記録層からの反射光が形成する光スポットに加えて、迷光が形成する光スポット１００についても受光領域５２で検出される。従って、２層光ディスクにおいては、上述した１層光ディスク２０の場合と同様にサーボ信号を得ると、迷光による外乱のために再生時のサーボ動作が不適切となる場合がある。
【００４５】
従って、サーボ信号を生成するにあたって、迷光による外乱を除去しておく必要がある。そこで、光ディスク装置１においては、ＢＤ／ＤＶＤ受光領域５２で得られる迷光によるオフセット成分（以下、迷光オフセット成分と記載する。）を含む検出信号を補正（迷光オフセット成分を除去）した後に、サーボ信号を得る構成としている。
【００４６】
ＢＤ／ＤＶＤ受光領域５２で得られる検出信号からの迷光オフセット成分の除去は、図４に示すように迷光の光スポット１００が広がってＣＤ受光領域５１でも検出されることを考慮して、ＣＤ受光領域５１で得られる信号を用いて所定の演算処理を行うことによってなされる。
【００４７】
なお、光ディスク装置１においては、ＢＤ／ＤＶＤ受光領域５２のサブビーム用検出セル５２ｂ、５２ｃで得られる検出信号のみについて迷光オフセット成分を除去し、メインビーム受光領域５２ａで得られる検出信号については迷光オフセット成分を除去しない構成としている。これは、メインビームに比べてサブビームはその光強度が微弱であり、メインビーム用検出セル５２ａに比べサブビーム用検出セル５２ｂ、５２ｃで得られる検出信号が迷光による外乱の影響をより大きく受け、その補正が必須であることを考慮するものである。
【００４８】
ただし、サブビーム検出領域５２ｂ、５２ｃで得られる検出信号に加えてメインビーム受光領域５２ａで得られる検出信号についても、もちろん迷光オフセット成分を除去する構成としても構わない。
【００４９】
以下、光ディスク装置１における、ＢＤ／ＤＶＤ受光領域５２のサブビーム用検出セル５２ｂ、５２ｃで得られる検出信号に含まれる迷光オフセット成分を、ＣＤ受光領域５１のサブビーム用検出セル５１ｂ、５１ｃで得られる検出信号を用いて除去する演算回路の構成の詳細について説明する。図５は、光検出器３３が備えるオフセット除去演算回路６１の一部の構成を示す概略図である。
【００５０】
オフセット除去演算回路６１は、サブビーム用検出セル５２ｂで得られる検出信号の補正をサブビーム用検出セル５１ｂで得られる検出信号を用いて補正する回路と、サブビーム用検出セル５２ｃで得られる検出信号の補正をサブビーム用検出セル５１ｃで得られる検出信号を用いて補正する回路と、の２つの演算回路で構成される。この２つの演算回路は、接続されるサブビーム検出セルが異なる以外は同一の回路構成であるために、図５においては、後者の回路構成のみを示しており、以下の説明も後者の回路についてのみ行う。
【００５１】
図５に示すオフセット除去演算回路６１において、スイッチＳＷ１は迷光オフセット成分の除去を実施するか否かを切り換えるスイッチである。光ディスク装置１においては、ＢＤ（２層光ディスク）を再生する場合においてのみ、迷光オフセット成分の除去が必要となる。このため、図６に示すように、ＢＤ（２層光ディスク）を再生する場合にのみスイッチＳＷ１はショートされ、それ以外の場合にはスイッチＳＷ１はオープンとされる。なお、図６は、オフセット演算回路６１が備えるスイッチの切り換えを説明するための図である。
【００５２】
スイッチＳＷ１がショートされている場合、サブビーム用検出セル５１ｃで検出された検出信号は、増幅器５３によって所定のレベルに増幅された後、ゲインコントロールアンプ（ＧＣＡ；Gain Control Amplifier）６２ａ、６２ｂ、６２ｃ、６３ｄに送られる。ＧＣＡ６２ａ〜６２ｄはそれぞれ、送られてきた信号に対して所定の係数を掛け合わせて重み付けを行う。重み付けを行う係数は、装置構成によって変わるものであるために、例えば装置を組立てる際に装置毎に決定される。
【００５３】
ＧＣＡ６２ａ〜６２ｄを通過して検出信号は、それぞれ差分器６３ａ〜６３ｄに送られる。差分器６３ａには、サブビーム用検出セル５２ｃの分割領域Ｇ１で得られた検出信号も、増幅器５３によって所定のレベルに増幅された後送られるようになっている。同様に、差分器６３ｂには、サブビーム用検出セル５２ｃの分割領域Ｈ１で得られた検出信号が所定の増幅をされて送られてくる。また、差分器６３ｃには、サブビーム用検出セル５２ｃの分割領域Ｈ２で得られた検出信号が所定の増幅をされて送られてくる。また、差分器６３ｄには、サブビーム用検出セル５２ｃの分割領域Ｇ２で得られた検出信号が所定の増幅をされて送られてくる。
【００５４】
そして、各差分器６３ａ〜６３ｄでは、サブビーム用検出セル５２ｃから送られてきた検出信号から、サブビーム用検出セル５１ｃから送られてきた検出信号（こちらはＧＣＡを介して送られてくる）を差し引く引き算が行われる。これにより、迷光オフセット成分の除去が行われる。各差分器６３ａ〜６３ｄで演算された後の信号は、スイッチＳＷ２に送られる。
【００５５】
なお、本実施形態においては、ＧＣＡを各差分器６３ａ〜６３ｄの前に配置する構成としたが、これに限定される趣旨ではない。すなわち、同一の係数を掛け合わせればよい部分については、ＧＣＡを複数とせず１つに纏めるように構成しても構わない。
【００５６】
スイッチＳＷ２は、光ディスク装置１で再生する対象が、ＢＤ／ＤＶＤであるか、ＣＤであるか、によって切り換えられるスイッチである。スイッチＳＷ１がショートされている場合には、スイッチＳＷ２はＢＤ／ＤＶＤ側とされる。スイッチＳＷ２を通過した信号は信号処理部６に送られて、サーボ信号生成及びＲＦ信号の生成に用いられる。
【００５７】
光ディスク装置１でＢＤ（２層光ディスク）を再生しない場合には、スイッチＳＷ１はオープンとされる。この場合、光ディスク装置１でＣＤを再生する場合には、スチッチＳＷ２はＣＤ側とされる。そして、サブビーム検出セル５１ｃで得られた検出信号が、演算処理されることなく信号処理部６に送られる。
【００５８】
また、光ディスク装置１でＢＤ（１層光ディスク）又はＤＶＤを再生する場合には、スイッチＳＷ２はＢＤ／ＤＶＤ側とされる。そして、この場合には、サブビーム検出セル５２ｃで得られた検出信号は、差分器６３ａ〜６３ｄでは演算処理されることなく信号処理部６に送られる。
【００５９】
なお、スイッチＳＷ１、ＳＷ２は、光ディスク装置１で再生する光ディスクの種類によって切り換える構成であり、オフセット除去演算回路６１はシステム制御部１１によって制御されるようになっている。このため、本実施形態では、オフセット除去演算回路６１を光検出器３３に搭載する構成としているが、オフセット除去演算回路６１をシステム制御部１１に搭載する構成等としても構わない。また、オフセット除去演算回路６１はシステム制御部１１で制御する構成であるために、ＧＣＡ６２ａ〜６２ｄで掛け合わせる係数は、適宜変更できる構成等としても構わない。
【００６０】
以上のようにオフセット除去演算回路６１を構成することにより、迷光オフセット成分の除去を必要に応じて行うことが可能となる。そして、迷光オフセット成分を除去した状態でサーボ信号の演算ができるために、サーボ動作を適切とできる。また、迷光オフセット成分の除去を、専用の検出セルを増設することなく実施できる。このため、光ディスク装置１の構成を簡易なものとでき、更に製造コストの上昇を抑制できる。
【００６１】
なお、光ディスク装置１の構成は、以上に示した本実施形態に限定されるものではなく、本発明の目的を逸脱しない範囲で種々の変更が可能である。すなわち、本発明は、異なる波長の光を発光する複数の発光点が近接して設けられる光源ユニット（本実施形態では２波長レーザ２２）を有し、発光点位置のずれに応じて光検出器上の受光領域を複数に分けている（本実施形態ではＣＤ受光領域５１とＢＤ／ＤＶＤ受光領域５２）構成の光ディスク装置に広く適用できる。
【００６２】
また、以上に示した実施形態においては、迷光オフセット成分を除去する対象をＢＤの２層光ディスクとした。しかし、これに限定される趣旨ではなく、記録層が２層より多い多層光ディスクの再生を行う場合に発生する迷光オフセット成分の除去を行う構成としても、もちろん構わない。また、ＢＤの多層光ディスク（記録層を２層以上有する光ディスク）のみならず、例えばＤＶＤの多層光ディスク等に発生する迷光オフセット成分の除去する構成等としても構わない。
【００６３】
その他、本実施形態では、多層光ディスクを再生する場合における迷光オフセット成分を除去する構成を示したが、多層光ディスクに対して記録を行う場合に発生する迷光オフセット成分を除去するようにしても構わない。
【産業上の利用可能性】
【００６４】
本発明の光ディスク装置は、多層光ディスクの再生（又は記録）を行う場合に発生する迷光の影響を除去してサーボ制御できるために、サーボ動作が適正となる。そして、このような構成を製造コストの上昇を抑制して実現可能である。従って、多層光ディスクに対応する光ディスク装置として非常に有用である。
【図面の簡単な説明】
【００６５】
【図１】は、本実施形態の光ディスク装置の構成を示すブロック図である。
【図２】は、本実施形態の光ディスク装置が備える光ピックアップの光学系の構成を示す概略図である。
【図３】は、本実施形態の光ディスク装置が備える光検出器を検出面側から見た概略正面図である。
【図４】は、本実施形態の光ディスク装置で互換する各種の光ディスクを再生する場合に、光ディスクからの反射光が光検出器上に形成する光スポットの状態を示した図である。
【図５】は、本実施形態の光検出器が備えるオフセット除去演算回路の一部の構成を示す概略図である。
【図６】は、本実施形態のオフセット演算回路が備えるスイッチの切り換えを説明するための図である。
【符号の説明】
【００６６】
１                光ディスク装置
２０              光ディスク
２０ａ、２０ｂ    記録層
２１              第１光源（単一波長レーザ、別の光源）
２２              第２光源（２波長レーザ、光源ユニット）
３１              対物レンズ（集光レンズ）
３３              光検出器（光検出手段）
５１              ＣＤ受光領域（第２受光領域）
５２              ＢＤ／ＤＶＤ受光領域（第１受光領域）
６１              オフセット除去演算回路（演算処理手段）
【図１】
2008146690.tif 000003
【図２】
2008146690.tif 000004
【図３】
2008146690.tif 000005
【図４】
2008146690.tif 000006
【図５】
2008146690.tif 000007
【図６】
2008146690.tif 000008